(57)【要約】【課題】  接続要求の優先度に応じて無線リソースを割当することができる移動通信システムを目的とする。【解決手段】  無線基地局制御装置３には、サービスクラスに応じて無線リソースを割当てる優先度を記憶する優先度テーブル３３ａと、無線基地局装置ＢＳの無線リソースの割当て情報を記憶し無線リソース割当の変更に伴って更新される無線リソース割当テーブル３３ｂとを有している。無線基地局制御装置３は、新たな接続要求に割当する無線リソースが不足している状態で移動端末装置ＰＳから接続要求を受信すると、優先度テーブルに記憶されているサービスクラスに応じた優先度と、既に通信中の移動端末装置ＰＳのサービスクラスに応じた優先度との関係で、新たな接続要求よりも優先度の低い通信のうち少なくとも１つの通信の無線リソースを減らすことを無線基地局装置ＢＳへ要求して新たな接続要求の通信を許可する。【選択図】  図９
2009206640.tif 000002
【特許請求の範囲】
【請求項１】
複数の移動端末装置と無線で通信を行う複数の無線基地局装置と、ＩＰ網へ接続されるとともに、前記複数の無線基地局装置に接続され前記無線基地局装置を制御する無線基地局制御装置とを有する移動通信システムであって、
前記無線基地局制御装置には、
前記無線基地局装置毎に既に通信中の移動端末装置が使用している無線リソースの割当て情報を記憶し、無線リソース割当ての変更に伴って更新される無線リソース割当テーブルと、
前記無線リソースの優先度に関する情報を記憶する優先度テーブルと、
前記移動端末装置から前記無線基地局装置を介して新たな接続要求を受信したとき、受信した前記新たな接続要求に割当てする無線リソースが不足しているか否かを前記無線リソース割当テーブルを参照して判断する判断手段と、
前記判断手段によって無線リソースが不足していると判断されたとき、前記優先度テーブルを参照して得た前記新たな接続要求に係る優先度と、前記無線リソース割当テーブル及び前記優先度テーブルを参照して得た既に通信している無線端末装置の優先度とを比較する比較手段と、
前記比較手段によって新たな接続要求に係る優先度が既に通信している無線端末装置の優先度よりも高いと判断されたとき、前記新たな接続要求よりも優先度の低い無線端末装置の通信のうち少なくとも１つの通信の無線リソースを制限することを前記無線基地局装置へ要求する送信手段と、
前記送信手段による送信後、前記無線基地局装置に対して前記新たな接続要求の通信を許可することを送信する手段と
を有することを特徴とする移動通信システム。
【請求項２】
前記無線基地局制御装置には、
自らの管理エリアに存在する各々の移動端末装置に対応付けてサービスクラスの情報を記憶する顧客情報管理テーブルをさらに有し、
前記無線リソース割当テーブルには、
既に通信している移動端末装置に対応付けてサービスクラスの情報を記憶する手段を有し、
前記優先度テーブルには、
無線リソースの優先度をサービスクラスに対応付けして記憶する手段を有し、
前記比較手段は、
前記顧客情報管理テーブルを参照して得た前記新たな接続要求があった移動端末装置のサービスクラスの情報と、前記無線リソース割当テーブルから得たサービスクラスの情報とを前記優先度テーブルを参照して優先度の比較を行う
ことを特徴とする請求項１に記載の移動通信システム。
【請求項３】
前記無線リソース割当テーブルには、
既に通信している移動通信装置に対応付けて前記プロトコル種別の情報を記憶する手段を有し、
前記優先度テーブルには、
無線リソースを割当てする優先度を接続要求に係るプロトコル種別に対応して記憶する手段を有し、前記比較手段は、前記新たな接続要求のプロトコル種別と、前記無線リソース割当テーブルから得たプロトコル種別とを前記優先度テーブルを参照して優先度の比較を行う
ことを特徴とする請求項１に記載の移動通信システム。
【請求項４】
複数の移動端末装置と無線で通信を行う複数の無線基地局装置と、ＩＰ網へ接続されるとともに、前記複数の無線基地局装置に接続され前記無線基地局装置を制御する無線基地局制御装置とを有する移動通信システムで使用される無線基地局制御装置であって、
前記無線基地局装置の無線リソースの割当て情報を記憶し、無線リソース割当の変更に伴って更新される無線リソース割当テーブルと、
無線リソースを割当する優先度に対応して記憶する優先度テーブルと、
前記移動端末装置から前記無線基地局装置を介して新たな接続要求を受信したとき、受信した前記新たな接続要求に割当てする無線リソースが不足しているか否かを前記無線リソース割当テーブルを参照して判断する判断手段と、
前記判断手段によって無線リソースが不足していると判断されたとき、前記優先度テーブルを参照して得た前記新たな接続要求に係る優先度と、前記無線リソース割当テーブル及び前記優先度テーブルを参照して得た既に通信している無線端末装置の優先度とを比較する比較手段と、
前記比較手段によって新たな接続要求に係る優先度が既に通信している無線端末装置の優先度よりも高いと判断されたとき、前記新たな接続要求よりも優先度の低い無線端末装置の通信のうち少なくとも１つの通信の無線リソースを制限することを前記無線基地局装置へ要求する送信手段と、
前記送信手段による送信後、前記無線基地局装置に対して前記新たな接続要求の通信を許可することを送信する手段と
を有することを特徴とする無線基地局制御装置。
【請求項５】
自らの管理エリアに存在する各々の移動端末装置に対応付けてサービスクラスの情報を記憶する顧客情報管理テーブルをさらに有し、
前記無線リソース割当テーブルには、
既に通信している移動端末装置に対応付けてサービスクラスの情報を記憶する手段を有し、
前記優先度テーブルには、
無線リソースを割当する優先度をサービスクラスに対応して記憶する手段を有し、
前記比較手段は、
前記顧客情報管理テーブルを参照して得た前記新たな接続要求があった移動端末装置のサービスクラスの情報と、前記無線リソース割当テーブルから得たサービスクラスの情報とを前記優先度テーブルを参照して優先度の比較を行う
ことを特徴とする請求項４に記載の無線基地局制御装置。
【請求項６】
前記無線リソース割当テーブルには、
既に通信している移動端末装置に対応付けて前記プロトコル種別の情報を記憶する手段を有し、
前記優先度テーブルには、
無線リソースを割当する優先度を接続要求に係るプロトコル種別に対応して記憶する手段を有し、
前記比較手段は、前記新たな接続要求のプロトコル種別と、前記無線リソース割当テーブルから得たプロトコル種別とを前記優先度テーブルを参照して優先度の比較を行う
ことを特徴とする請求項４に記載の無線基地局制御装置。 
【発明の詳細な説明】
【技術分野】
【０００１】
本発明は、複数の移動端末装置と無線で通信を行う無線基地局装置とこの無線基地局装置を制御する無線基地局制御装置とを有する移動通信システム及びその移動通信システムに用いられる無線基地局制御装置に関する。
【背景技術】
【０００２】
移動端末装置と無線基地局装置が無線で通信を行う移動通信システムでは、移動端末装置から接続要求が送信されると、その移動端末装置へ無線基地局装置の無線リソースを割当てを行い、移動端末装置と無線基地局装置との間の通信が確立する。
【０００３】
この無線リソースは、無線基地局装置が例えば１０通話が同時に通話可能な容量であるとすると、既に１０通話が通話中である場合に、１１通話目の接続要求は拒否される。また、例えば１０通話が同時に通話可能な無線リソースの無線基地局装置で９通話が通話中である場合に、ほぼ同時に１０通話目と１１通話目の接続要求を受信すると、無線基地局装置は先に受信した接続要求に応答して無線リソースを割当てし、後から受信した接続要求を拒否する。
【０００４】
このような移動通信システムでは、優先度がより高い通信に係る接続要求であっても、その通信に十分な無線リソースが開放されるまで応答することができない。
【０００５】
また、無線リソースを割当てするステップにおいて無線リソースが不足する場合に、無線リソースの調整を行う技術が知られている（特許文献１）。
【特許文献１】特開２００６−３１０９１９号公報
【発明の開示】
【発明が解決しようとする課題】
【０００６】
しかしながら、上記の従来技術は、複数のサービスを加入者の移動端末装置に同時に提供可能な場合に、その移動端末装置に割当てられた無線リソース内で複数のサービスにその無線リソースを割当てするため、新たに接続要求を行う場合に適用できないという問題がある。
【０００７】
本発明は、上記問題点を解決するためになされたもので、移動端末装置からの接続要求の優先度に応じて無線リソースを捻出して割当てすることができる移動通信システム及び無線基地局制御装置を提供することを目的とする。
【課題を解決するための手段】
【０００８】
上記目的を達成するために、本発明による移動通信システムは、複数の移動端末装置と無線で通信を行う複数の無線基地局装置と、ＩＰ網へ接続されるとともに、前記複数の無線基地局装置に接続され前記無線基地局装置を制御する無線基地局制御装置とを有する移動通信システムであって、前記無線基地局制御装置には、前記無線基地局装置毎に既に通信中の移動端末装置が使用している無線リソースの割当て情報を記憶し、無線リソース割当ての変更に伴って更新される無線リソース割当テーブルと、前記無線リソースの優先度に関する情報を記憶する優先度テーブルと、前記移動端末装置から前記無線基地局装置を介して新たな接続要求を受信したとき、受信した前記新たな接続要求に割当てする無線リソースが不足しているか否かを前記無線リソース割当テーブルを参照して判断する判断手段と、前記判断手段によって無線リソースが不足していると判断されたとき、前記優先度テーブルを参照して得た前記新たな接続要求に係る優先度と、前記無線リソース割当テーブル及び前記優先度テーブルを参照して得た既に通信している無線端末装置の優先度とを比較する比較手段と、前記比較手段によって新たな接続要求に係る優先度が既に通信している無線端末装置の優先度よりも高いと判断されたとき、前記新たな接続要求よりも優先度の低い無線端末装置の通信のうち少なくとも１つの通信の無線リソースを制限することを前記無線基地局装置へ要求する送信手段と、前記送信手段による送信後、前記無線基地局装置に対して前記新たな接続要求の通信を許可することを送信する手段とを有することを特徴とする。
【０００９】
また、本発明による無線基地局制御装置は、複数の移動端末装置と無線で通信を行う複数の無線基地局装置と、ＩＰ網へ接続されるとともに、前記複数の無線基地局装置に接続され前記無線基地局装置を制御する無線基地局制御装置とを有する移動通信システムで使用される無線基地局制御装置であって、前記無線基地局装置の無線リソースの割当て情報を記憶し、無線リソース割当の変更に伴って更新される無線リソース割当テーブルと、無線リソースを割当する優先度に対応して記憶する優先度テーブルと、前記移動端末装置から前記無線基地局装置を介して新たな接続要求を受信したとき、受信した前記新たな接続要求に割当てする無線リソースが不足しているか否かを前記無線リソース割当テーブルを参照して判断する判断手段と、前記判断手段によって無線リソースが不足していると判断されたとき、前記優先度テーブルを参照して得た前記新たな接続要求に係る優先度と、前記無線リソース割当テーブル及び前記優先度テーブルを参照して得た既に通信している無線端末装置の優先度とを比較する比較手段と、前記比較手段によって新たな接続要求に係る優先度が既に通信している無線端末装置の優先度よりも高いと判断されたとき、前記新たな接続要求よりも優先度の低い無線端末装置の通信のうち少なくとも１つの通信の無線リソースを制限することを前記無線基地局装置へ要求する送信手段と、前記送信手段による送信後、前記無線基地局装置に対して前記新たな接続要求の通信を許可することを送信する手段とを有することを特徴とする。
【発明の効果】
【００１０】
本発明によれば、移動端末装置からの接続要求の優先度に応じて無線リソースを捻出して割当てすることができる移動通信システム及び無線基地局制御装置を提供することができる。
【発明を実施するための最良の形態】
【００１１】
以下、本発明の実施例を、図面を参照して説明する。
【実施例１】
【００１２】
図１は、この発明に関わる移動通信システムの一実施の形態を示し、特にサービスクラスによる優先度によって無線リソースの割当てを行うためのシステム構成図である。  
このシステムは、移動端末装置ＰＳ１、ＰＳ２が無線で通信を行うための無線基地局装置ＢＳ１、ＢＳ２、…、ＢＳｎが無線基地局制御装置３に接続されて構成されている。この無線基地局制御装置３は、回線網の一例であるＩＰ網１に接続され、ＩＰ網１には、顧客が契約したサービスクラスを電話番号等とともに記憶する顧客情報管理サーバＳが接続されている。なお、移動端末装置ＰＳは２個のみ示しているが、各無線基地局装置ＢＳ１乃至ＢＳｎのそれぞれには多数の移動端末装置ＰＳが接続可能である。ここでは、無線基地局装置ＢＳ１と無線で通信可能な無線ゾーン２に移動端末装置ＰＳ１、ＰＳ２が在圏している様子を示している。
【００１３】
図２は、無線基地局制御装置３の機能ブロック図である。無線基地局制御装置３には、呼制御部３１、通信インターフェース部３２、記憶部３３が備えられている。
【００１４】
通信インターフェース部３２は、複数の無線基地局装置ＢＳおよびＩＰ網１と接続するものである。また、記憶部３３には、移動端末装置ＰＳが無線基地局装置ＢＳを介して接続要求を行った場合にその優先度を判断するための基準を示した優先度テーブル３３ａと、無線基地局装置ＢＳ毎に既に通信中の移動端末装置ＰＳへ割当てしている無線リソースの情報を記憶する無線リソース割当テーブル３３ｂとを記憶するようになっている。また、記憶部３３には自らの無線基地局制御装置の管理下（当該無線基地局制御装置に接続された無線基地局装置と通信可能な圏内）に存在する移動端末装置の電話番号と契約しているサービスクラスとを対応付けた顧客情報管理テーブル３３ｃも記憶されている。
【００１５】
呼制御部３１は、無線基地局装置ＢＳに接続された通信インターフェース部３２から受信した接続要求を、記憶部３３を参照して呼制御を行うものである。この呼制御部３１は、接続要求を受信したか否かの監視も行うことができるようになっている（監視手段）。
【００１６】
図３は、顧客情報管理サーバＳの機能ブロック図である。顧客情報管理サーバＳには、制御部４１、通信インターフェース部４２、記憶部４３が備えられている。
【００１７】
通信インターフェース部４２は、ＩＰ網１と接続するものであり、記憶部４３には、顧客が契約したサービスクラスを顧客のＩＤや移動端末装置ＰＳの電話番号と対応付けて記憶する顧客情報管理テーブル４３ａを記憶するようになっている。また、制御部４１は、通信インターフェース部４２から受信した命令を基に顧客情報管理テーブル４３ａに記憶されている情報を通信インターフェース部４２から送信するようになっているものである。
【００１８】
図４は、無線基地局装置ＢＳ（ＢＳ１乃至ＢＳｎ共通）の機能ブロック図である。無線基地局装置ＢＳには、制御部５１、無線通信インターフェース部５２ｗ、有線通信インターフェース部５２ｃ、記憶部５３が備えられている。
【００１９】
無線通信インターフェース部５２ｗは、移動端末装置ＰＳと無線で通信を行うものであり、有線通信インターフェース部５２ｃは無線基地局制御装置へ有線で接続されるものである。また、記憶部５３は、無線通信インファーフェース部５２ｗまたは有線通信インターフェース部５２ｃで送受信した情報を記憶するようになっている。また、制御部５１は、無線通信インターフェース部５２ｗ、有線通信インターフェース部５２ｃの制御、および記憶部５３の書き込みや読み出しを行うものである。
【００２０】
図５は、無線基地局制御装置３に記憶されている優先度テーブル３３ａの一例である。優先度の基準の１つであるサービスクラスは、顧客が契約したサービスクラスであり、例えば付加料金を支払う通信プランＳは最も優先されるなどの優先度が設定されている。また、優先度の別の基準であるプロトコル種別は、移動端末装置ＰＳから送信される接続要求に含まれるプロトコルの種別によって、例えば音声通話などのリアルタイム性を要するＲＴＰプロトコルが含まれる場合は優先されるなどの優先度が設定されている。  
図６は、無線基地局制御装置３に記憶されている無線リソース割当テーブル３３ｂの一例である。この無線リソース割当テーブル３３ｂには、無線基地局装置ＢＳ毎に、既に通信中の移動端末装置ＰＳとその移動端末装置が契約しているサービスクラス、その移動端末装置が通信しているプロトコル種別、及び移動端末装置ＰＳに割当て使用している無線リソース（使用リソース）が記憶されている。また、この無線リソース割当テーブル３３ｂには、複数の移動端末装置に無線リソースを割当てた結果残っている、無線基地局装置ＢＳの残り無線リソース（残リソース）も記憶されている。
【００２１】
図６の例では、無線基地局装置ＢＳ１には、移動端末装置ＰＳ１、ＰＳ２が通信中で、移動端末装置ＰＳ１のサービスクラスは「Ｓ」、プロトコル種別は「ＴＣＰ／ＩＰ」、使用リソースは「５」である。また、移動端末装置ＰＳ２のサービスクラスは「Ａ」、プロトコル種別は「ＲＴＰ／ＵＤＰ／ＩＰ」、使用リソースは「１０」であり、無線基地局装置ＢＳ１の残リソースは「５」であることを示している。  
ここで、図７を参照して無線リソースについて説明する。無線基地局装置ＢＳで使用される電波は、一定時間周期で下り電文と上り電文の通信が切り替わるようになっている。その下り電文または上り電文の通信の時間の先頭は制御用信号が伝送され、残りの時間はデータを伝送するようになっている。データを伝送する時間を等間隔に区切ったものをチャネルという。データは所定の長さで１チャネルとなり、１つの電文に付加されているチャネル数が無線リソースに相当し、一つの移動端末装置ＰＳへ割当てするチャネル数を増減少することによって無線リソース（帯域）の捻出を行うことができるようになっている。
【００２２】
図８は、顧客情報管理サーバＳに記憶されている事業者が契約している全ての顧客情報管理テーブル４３ａの中から、無線基地局制御装置３の管理下に存在する移動端末装置の顧客情報のみをダウンロードして記憶した顧客情報管理テーブル３３ｃの一例である。この顧客情報管理テーブル３３ｃには移動端末装置ＰＳ毎に、電話番号やサービスクラスが記憶されるようになっている。例えば、移動端末装置ＰＳ１は、電話番号が「０７０−１２３４−５６７８」でサービスクラスが「Ｓ」であることを示している。
【００２３】
次に、図９を参照して優先度によって無線リソースの捻出を行うシーケンスについて説明する。ここでは、移動端末装置ＰＳ２が無線基地局装置ＢＳ１と通信中で無線リソースに空きがない場合に、移動端末装置ＰＳ２よりも優先度が高い移動端末装置ＰＳ１が無線基地局装置ＢＳ１へ接続要求を行い、無線リソースを捻出して移動端末装置ＰＳ１の接続要求を許可する流れを示す。
【００２４】
まず、移動端末装置ＰＳ２が無線基地局装置ＢＳ１を介して無線基地局制御装置３へ接続要求を行う（Ｓ１０１）。無線基地局制御装置３は、無線基地局装置ＢＳ１の無線リソースに空きがあると判断し、接続要求の許可の通知を移動端末装置ＰＳ２へ送信する（Ｓ１０２）。この接続要求の許可の通知を移動端末装置ＰＳ２が受信すると、移動端末装置ＰＳ２と無線基地局装置ＢＳ１との間の通信が行われる（Ｓ１０３）。このとき、無線基地局装置ＢＳ１の無線リソースは、次に接続要求があってもその接続要求に応じて割当てる無線リソースが無い状態であるとする。
【００２５】
次に、移動端末装置ＰＳ１が無線基地局装置ＢＳ１を介して無線基地局制御装置３へ新たな接続要求を行う（Ｓ１０４）。無線基地局制御装置３は、無線リソース割当テーブル３３ｂを参照して無線基地局装置ＢＳ１の無線リソースに空きがないと判断し、顧客情報管理テーブル３３ｃを参照して接続要求に係る移動端末装置ＰＳ１のサービスクラスの情報を取得する。また、既に無線リソースを割当されている通信のサービスクラスを無線リソース割当テーブル３３ｂを参照して取得し、それらの取得したサービスクラスの情報を優先度テーブル３３ａを参照して優先度を比較し、優先度を判断する（Ｓ１０５）。その新たな接続要求に係るサービスクラスの方が優先度が高いと判断されると、無線基地局制御装置３は、優先度の低い既に通信を行っている移動端末装置ＰＳ２の無線リソースを減らす要求である無線リソース制限要求を無線基地局装置ＢＳ１へ送信する（Ｓ１０６）。無線リソース制限要求を受信した無線基地局装置ＢＳ１は、無線リソース制限受付の通知を無線基地局制御装置３へ送信する（Ｓ１０７）。このとき、移動端末装置ＰＳ２は、無線リソース（帯域）を制限して通信を継続する（Ｓ１０８）。無線リソース制限受付の通知を受信した無線基地局制御装置３は、移動端末装置ＰＳ１からの新たな接続要求を許可し、移動端末装置ＰＳ１へ接続要求の許可の通知を送信する（Ｓ１０９）。この接続要求の許可の通知を移動端末装置ＰＳ１が受信すると、移動端末装置ＰＳ１と無線基地局装置ＢＳ１との間の通信が行われる（Ｓ１１０）。
【００２６】
このように、新たな接続要求があった場合とともに、無線基地局装置の無線リソースが無いと判断されても新たな接続要求と既通信との優先度を比較し、新たな接続要求の優先度が高いときは、既通信の無線リソースを制限して新たな接続要求を許可することができる。
【００２７】
次に、図１０を参照して一定時間内に複数の接続要求がなされた場合の接続順を判断するシーケンスについて説明する。  
図１０は、移動端末装置ＰＳ１と移動端末装置ＰＳ２が無線基地局装置ＢＳ１へほぼ同時に接続要求を行い、それらの移動端末装置ＰＳに応じた優先度によって接続順を判断し、優先度の高い移動端末装置ＰＳの接続要求を許可する流れを示す。
【００２８】
まず、移動端末装置ＰＳ１が無線基地局装置ＢＳ１を介して無線基地局制御措置３へ接続要求を行う（Ｓ２０１）。この接続要求とほぼ同時に移動端末装置ＰＳ２が無線基地局装置ＢＳ１を介して無線基地局制御装置３へ接続要求を行う（Ｓ２０２）。
【００２９】
ここで、無線基地局制御装置３は、一定時間（例えば１秒）の間にこれらの接続要求を受信したと判断し、顧客情報管理テーブル３３ｃを参照して移動端末装置ＰＳ１および移動端末装置ＰＳ２のサービスクラスを取得し、優先度テーブル３３ａに記憶されているサービスクラスに応じた優先度との関係で、優先度が高い方のサービスクラスの接続要求を許可する。ここでは、移動端末装置ＰＳ１より移動端末装置ＰＳ２の方が優先度が高いサービスクラスであるとする。（Ｓ２０３）
無線基地局制御装置３は、最も優先度が高い移動端末装置ＰＳ２へ接続要求の許可の通知を送信し（Ｓ２０４）、移動端末装置ＰＳ２が接続要求の許可の通知を受信すると、移動端末装置ＰＳ２と無線基地局装置ＢＳ１との間の通信が行われる（Ｓ２０６）。移動通信端末ＰＳ２と無線基地局装置ＢＳ１との間の通信が行われると、無線基地局制御装置３は、移動端末装置ＰＳ２の次に優先度の高い移動端末装置ＰＳ１へ接続要求の許可の通知を送信し（Ｓ２０６）、移端末装置ＰＳ１が接続要求の許可の通知を受信すると、移動端末装置ＰＳ１と無線基地局装置ＢＳ１との間の通信が行われる（Ｓ２０７）。
【００３０】
次に、図１１を参照して、移動端末装置ＰＳ１と移動端末装置ＰＳ２が無線基地局装置ＢＳ１へほぼ同時に接続要求を行ったとき、それらの移動端末装置ＰＳに応じた優先度によって接続順を判断し、優先度の高い移動端末装置ＰＳの接続要求を先に許可する無線基地局制御装置３の処理について説明する。
【００３１】
まず、一定時間（例えば１秒）の間に受信した接続要求を監視する（Ｓ３０１）。その一定時間の間に接続要求が有ったか否かを判断し（Ｓ３０２）、接続要求がなければ処理Ｓ３０１へ戻る。接続要求が有れば、その一定時間の間に受信した接続要求の数Ｘを把握する（Ｓ３０３）。接続要求の数Ｘが複数か否かを判断する（Ｓ３０４）。複数であれば、優先度テーブル３３ａを参照して接続要求の優先度を判断し（Ｓ３０５）、接続要求の優先度を比較して優先度の順にソートする（Ｓ３０６）。処理Ｓ３０６で優先度の順にソートした後および処理Ｓ３０４で一定時間の間の接続要求が１つであった場合は、カウンタをｉ＝１とする（Ｓ３０７）。
【００３２】
カウンタをｉ＝１とした後は、無線リソース割当テーブル３３ｂを参照して無線基地局装置ＢＳ１の無線リソースに空きが有るか否かを判断する（Ｓ３０８）。無線リソースに空きがなければ、後述する無線リソース捻出処理を行う（Ｓ３０９）。無線リソースに空きが有れば、１番目の優先順の接続要求を許可し、その接続要求に係る移動端末装置ＰＳへ接続要求の許可の通知を送信する（Ｓ３１０）。接続要求の許可の通知を送信すると、無線リソース割当テーブル３３ｂを更新する（Ｓ３１１）。無線リソース割当テーブル３３ｂを更新した後は、処理していない接続要求が有るか否かを判断するために、ｉ＝Ｘか否かを判断する（Ｓ３１２）。ｉ＝Ｘであれば処理を終了し、ｉ＝Ｘでなければｉ＝ｉ＋１とカウンタを１増やし（Ｓ３１３）、処理Ｓ３０８へ戻り、次の優先度の接続要求に対する無線リソースの有無を判断する処理を繰り返す。
【００３３】
ここで、図１２を参照して無線基地局制御装置３が無線基地局装置ＢＳの無線リソースを捻出する処理Ｓ３０９について説明する。  
まず、無線基地局制御装置３は、接続要求に係る優先度と既に通信中の移動端末装置ＰＳが使用している無線リソースの優先度とを比較し（Ｓ４０１）、既に通信している無線リソースの方が優先度が高い場合は、接続拒否の通知を無線基地局装置ＢＳへ送信する（Ｓ４０２）。接続要求に係る優先度の方が高い場合は、接続要求よりも優先度の低い通信の無線リソースを減らすよう無線基地局装置ＢＳへ無線リソース制限要求を送信する（Ｓ４０３）。無線基地局装置ＢＳから無線リソース制限受付を受信する（Ｓ４０４）と、移動端末装置ＰＳからの接続要求を許可し、接続要求の許可の通知を接続要求があった移動端末装置ＰＳへ送信する（Ｓ４０５）。接続要求の許可の通知を送信すると、無線リソース割当テーブル３３ｂを更新する（Ｓ４０６）。
【００３４】
ここで、図１１および図１２に記載した優先度について説明する。この優先度の判断基準は、本実施の形態ではサービスクラスを基準にした場合とプロトコル種別を基準にした場合の処理を示す。
【００３５】
まず、優先度判断ステップＳ３０５及び優先度比較ステップＳ４０１の処理について、特にサービスクラスを基準として優先度を判断する場合を図１３に示す。  
すなわち、新しい接続要求に係るサービスクラスの判断は、無線基地局制御装置３の顧客情報管理テーブル３３ｃを参照して判断し、既に通信中の無線リソースに係るサービスクラスは、無線リソース割当テーブル３３ｂに記憶されているサービスクラスを参照して判断する（Ｓ５０１）。それぞれのサービスクラスを判断すると、優先度テーブル３３ａに記憶されているサービスクラスの優先度を参照して、それぞれの通信の優先度を判断する（Ｓ５０２）。
【００３６】
次に、図１４を参照して、プロトコル種別を基準として優先度を判断する処理を示す。  
新たな接続要求に係るプロトコル種別の判断は、接続要求を示すパケットのヘッダ（後述する図１５のヘッダ）を参照して判断し、既に通信中の無線リソースに係るプロトコル種別は、無線リソース割当テーブル３３ｂに記憶されているプロトコル種別を参照して判断する（Ｓ６０１）。それぞれのプロトコル種別を判断すると、優先度テーブル３３ａに記憶されているプロトコル種別の優先度を参照して、それぞれの通信の優先度を判断する（Ｓ６０２）。
【００３７】
ここで、図１５を参照してプロトコル種別の判断を行う際に参照するパケットの構造について説明する。パケットは、プロトコル種別が示されたヘッダ部とデータ部から構成されている。そのヘッダ部は、ＩＰ層、トランスポート層、アプリケーション層のプロトコル種別の情報を示すヘッダ等が順に並んで構成している。例えば、ファイル転送を行うための接続要求であれば、アプリケーション層はＦＴＰであり、音声情報を伝送するための接続要求であれば、アプリケーション層がＲＴＰである。
【００３８】
図１５（ａ）は、ファイル転送を行う場合のパケット構造を示す。その構造はＦＴＰ／ＴＣＰ／ＩＰとなっている。図１５（ｂ）は、音声情報を伝送する場合のパケット構造を示す。その構造は、ＲＴＰ／ＵＤＰ／ＩＰとなっている。このようにパケットのヘッダを参照してプロトコル種別を判断することができる。
【００３９】
以上のような実施の形態によれば、無線リソースに空きがなくても、優先度がより高い移動端末装置ＰＳからの接続要求を許可することができる。また、優先度の基準をサービスクラスにすることで、緊急度が高い接続要求や通信データ量の多い通信を頻繁に行う移動端末装置ＰＳを常に優先することができる。さらに、優先度の基準であるサービスクラスの情報を無線基地局制御装置３に記憶しておくため、移動端末装置ＰＳからの不正な優先度の接続要求を防ぐことができる。
【００４０】
また、通信の種類によって優先度を決定する場合に、プロトコル種別によって通信の種類を判断することができるため、予めプロトコル種別に応じた優先度を設定しておけば、優先すべき接続要求を先に許可することができ、有限の無線リソースを有効に活用することができる。
【００４１】
さらに、無線基地局制御装置３が一定時間の間に受信した接続要求を監視することで、無線基地局制御装置３が受信した接続要求の僅かな時間差で優先されるべき移動端末装置ＰＳが接続拒否されることを防ぐことができ、優先されるべき移動端末装置ＰＳがより接続しやすくなる。
【００４２】
なお、本発明は、以上の構成に限定されるものではなく、種々の変形が可能である。例えば、無線リソースを捻出するために、無線基地局制御装置が新たな接続要求に係る優先度よりも優先度の低い既に通信中の無線リソースを減らすことを要求する処理Ｓ１０６および処理Ｓ４０３において、無線リソースを減らす通信は、最も優先度が低い通信だけであっても、接続要求に係る優先度よりも優先度の低い全ての通信であってもよく、新たに接続要求された移動端末装置ＰＳに割当することができる充分な無線リソースを捻出するように要求するようになっていればよい。
【図面の簡単な説明】
【００４３】
【図１】本発明の一実施の形態に係る移動通信システムの概略図。
【図２】本発明の一実施の形態に係る無線基地局制御装置の機能ブロック図。
【図３】本発明の一実施の形態に係る顧客情報管理サーバの機能ブロック図。
【図４】本発明の一実施の形態に係る無線基地局装置の機能ブロック図。
【図５】本発明の一実施の形態に係る優先度テーブルを示す図。
【図６】本発明の一実施の形態に係る無線リソース割当テーブルを示す図。
【図７】本発明の一実施の形態に係る無線リソースを割当するチャネルの概略図。
【図８】本発明の一実施の形態に係る顧客情報管理テーブルを示す図。
【図９】本発明の一実施の形態に係る移動通信システムの全体の動作を示したシーケンス図。
【図１０】本発明の一実施の形態に係る移動通信システムの全体の動作を示すシーケンス図。
【図１１】本発明の一実施の形態に係る無線基地局制御装置の動作を示すフローチャート。
【図１２】本発明の一実施の形態に係る無線基地局制御装置の動作を示すフローチャート。
【図１３】本発明の一実施の形態に係る無線基地局制御装置がサービスクラスを基に優先度を判断する動作を示すフローチャート。
【図１４】本発明の一実施の形態に係る無線基地局制御装置がプロトコル種別を基に優先度を判断する動作を示すフローチャート。
【図１５】本発明の一実施の形態に係るパケット構成の概略図。
【符号の説明】
【００４４】
ＰＳ、ＰＳ１、ＰＳ２…移動端末装置
ＢＳ、ＢＳ１、ＢＳ２、…、ＢＳｎ…無線基地局装置
Ｓ…顧客情報管理サーバ
１…ＩＰ網
２…無線ゾーン
３…無線基地局制御装置
３１…呼制御部
３２、４２…通信インターフェース部
３３、４３、５３…記憶部
３３ａ…優先度テーブル
３３ｂ…無線リソース割当テーブル
３３ｃ、４３ａ…顧客情報管理テーブル
４１、５１…制御部
５２ｗ…無線通信インターフェース部
５２ｃ…有線通信インターフェース部
Ｐ１、Ｐ２…パケット
【図１】
2009206640.tif 000003
【図２】
2009206640.tif 000004
【図３】
2009206640.tif 000005
【図４】
2009206640.tif 000006
【図５】
2009206640.tif 000007
【図６】
2009206640.tif 000008
【図７】
2009206640.tif 000009
【図８】
2009206640.tif 000010
【図９】
2009206640.tif 000011
【図１０】
2009206640.tif 000012
【図１１】
2009206640.tif 000013
【図１２】
2009206640.tif 000014
【図１３】
2009206640.tif 000015
【図１４】
2009206640.tif 000016
【図１５】
2009206640.tif 000017